(57)【要約】【課題】効果的に小動物の駆除が行え、製作が容易で低コストに製造でき、天井裏などの広い場所でも容易に拡散して設置することができる小動物駆除具を提供すること。【解決手段】頭部１１から針１３を立設してなる複数個の鋲１０と、円板状であって複数個の鋲１０を取り付ける鋲取付板３０とを具備する小動物駆除具１−１である。複数個の鋲１０の内の一部は鋲取付板３０の一方の面からそれらの針１３を突き通してその反対面側に突出させ、残りの鋲１０は鋲取付板３０の他方の面からそれらの針１３を突き通してその反対面側に突出させ、これによって鋲取付板３０の両方の面にそれぞれ針１３を露出させる。【選択図】図１
0003168615.tif 000002
【実用新案登録請求の範囲】
【請求項１】
頭部から針を立設してなる複数個の鋲と、平板状であって前記複数個の鋲を取り付ける鋲取付板と、を具備し、
前記複数個の鋲の内の一部は前記鋲取付板の一方の面からそれらの針を突き通してその反対面側に突出させ、残りの鋲は前記鋲取付板の他方の面からそれらの針を突き通してその反対面側に突出させ、これによって鋲取付板の両方の面にそれぞれ針を露出させたことを特徴とする小動物駆除具。
【請求項２】
請求項１に記載の小動物駆除具であって、
前記鋲の頭部の上面は光の反射面となっていることを特徴とする小動物駆除具。
【請求項３】
請求項２に記載の小動物駆除具であって、
前記鋲取付板は円板形状であることを特徴とする小動物駆除具。
【考案の詳細な説明】
【技術分野】
【０００１】
本考案は、ネズミやハクビシンやイタチ等の小動物が住宅の天井裏や床下などに侵入して活動するのを防止するのに用いて好適な小動物駆除具に関するものである。
【背景技術】
【０００２】
従来、住宅の天井裏や床下などに、ネズミ、ハクビシン、イタチ等の小動物が侵入して巣を作ったりすることがある。この種の小動物は病原菌や蚤、シラミ、ダニ等の害虫を媒介したり、糞尿被害、騒音被害を起こしたりする。
【０００３】
これら小動物を除去する方法として従来より、殺鼠剤などの毒物を用いる方法やネズミ取りなどの捕獲器を用いる方法がある。しかしながら毒物を用いる場合は取り扱いに注意が必要なばかりか、死がいが天井裏などに放置される危険性がある。また動物によっては殺してはいけない動物もいる。また捕獲器を用いる場合は、捕獲した動物の後処理に困る。
【０００４】
一方例えば特許文献１に示すように、針状の突起を有する駆除ユニット（１），（１１），（２１），（３１），（４１），（５１），（７３）を小動物の通路や活動場所に配置する方法もある。この方法によれば、前記駆除ユニットの突起に小動物が触れることで傷みを感じ、その場所から自然にいなくなるので、小動物を殺すことなく、また後処理に困ることもなく、好適である。
【先行技術文献】
【特許文献】
【０００５】
【特許文献１】特開平４−１９０７３２号公報
【考案の概要】
【考案が解決しようとする課題】
【０００６】
しかしながら特許文献１の第１図に示す駆除ユニット（１）の場合、複数本の針金をねじり合わせて栗のイガのように放射状に突き出す加工を施しており、その加工が煩雑で、コストが高くなる。またこの駆除ユニット（１）を広い天井裏の遠くの位置に投げて撒こうとした場合、転がり易い形状なので、希望した位置に設置しにくい。他の駆除ユニット（１１），（２１），（３１），（４１），（５１），（７３）においても構造が複雑でその製造コストが高くなる。またこれらは転がり易い形状であったり、上下の向きが決まっていたりするので、これを投げて設置することもやはり困難である。
【０００７】
本考案は上述の点に鑑みてなされたものでありその目的は、効果的に小動物の駆除が行え、同時に製作が容易で低コストに製造でき、さらに天井裏などの広い場所でも容易に拡散して設置することができる小動物駆除具を提供することにある。
【課題を解決するための手段】
【０００８】
本願請求項１に記載の考案は、頭部から針を立設してなる複数個の鋲と、平板状であって前記複数個の鋲を取り付ける鋲取付板と、を具備し、前記複数個の鋲の内の一部は前記鋲取付板の一方の面からそれらの針を突き通してその反対面側に突出させ、残りの鋲は前記鋲取付板の他方の面からそれらの針を突き通してその反対面側に突出させ、これによって鋲取付板の両方の面にそれぞれ針を露出させたことを特徴とする小動物駆除具にある。
【０００９】
本願請求項２に記載の考案は、請求項１に記載の小動物駆除具であって、前記鋲の頭部の上面は光の反射面となっていることを特徴とする小動物駆除具にある。
【００１０】
本願請求項３に記載の考案は、請求項２に記載の小動物駆除具であって、前記鋲取付板は円板形状であることを特徴とする小動物駆除具にある。
【考案の効果】
【００１１】
請求項１に記載の考案によれば、この小動物駆除具を、天井裏や床下等の小動物を駆除したい場所に撒いておけば、この小動物駆除具の面から突出する針に小動物が触れることで痛みを感じ、その場所を忌避するようになり、結局小動物を駆除することができる。設置する小動物駆除具の数は、多ければ多いほど効果的である。
この小動物駆除具は、鋲取付板に鋲を取り付けるだけで作成できるので、製造が容易で且つ低コスト化が図れる。さらにこの小動物駆除具は板状なので、天井裏などの広い場所でもこれをフリスビーを投げる要領で、容易に目的の場所に投げることができ、容易に拡散して広範囲に設置することができる。しかも鋲取付板の両面から針が突出しているので、この小動物除去具を遠くに投げるなどしてその表裏が逆になったとしても問題ない。
また小動物駆除具を投げて着地した際、小動物駆除具の下面から突出する針が着地面に係止するので、さらに遠くに移動していくことはなく、目的の場所に容易に設置することができる。
【００１２】
請求項２に記載の考案によれば、頭部の反射面で反射された光が小動物の目に入り、それが他の動物（例えば猫）の目のように錯覚し、これによって小動物に恐怖感等を与えることができる。
【００１３】
請求項３に記載の考案によれば、鋲取付板が円板形状なので、これを投げた際にスムーズに飛行し、所定の遠くの場所に設置することができる。
【図面の簡単な説明】
【００１４】
【図１】小動物駆除具１−１の斜視図である。
【図２】小動物駆除具１−１を裏面側から見た斜視図である。
【図３】小動物駆除具１−１の分解斜視図である。
【図４】小動物駆除具１−１の一使用例を示す概略斜視図である。
【図５】小動物駆除具１−１の保管方法の一例を示す側面図である。
【図６】小動物駆除具１−２の斜視図である。
【考案を実施するための形態】
【００１５】
以下、本考案の実施形態を図面を参照して詳細に説明する。
〔第１実施形態〕
図１は本考案の第１実施形態にかかる小動物駆除具１−１の斜視図、図２は小動物駆除具１−１を裏面側から見た斜視図、図３は小動物駆除具１−１の分解斜視図である。これらの図に示すように小動物駆除具１−１は、６個の鋲１０と、１枚の鋲取付板３０とを具備して構成されている。
【００１６】
鋲１０は金属製であり、図３に示すように、円形で平板状の頭部１１と、頭部１１の一方の面の中央位置に立設する針１３とを具備して構成されている。この針１３は頭部１１の面に対して垂直に立設しており、先端は尖っている。この鋲１０は、市販されている金属製の画鋲を用いており、表面は金色で光を反射するので、平板状の頭部１３の露出する上面は光の反射面１２となっている。頭部１１の直径は１０mm程度、針１３の長さは８mm程度であるが、必要に応じて他の各種寸法への変更が可能であることは言うまでもない。またこの例では鋲１０を金属で構成しているが、合成樹脂などによって構成しても良い。また頭部１１の形状も円板形状に限定されず、多角形などの他の各種形状でも良く、また平板状以外の各種立体形状であっても良い。
【００１７】
鋲取付板３０は平板状であって前記複数個（６個）の鋲１０を取り付けることができる広さの表面積を有しており、この例では段ボール板を円形に形成して構成されている。この鋲取付板３０の直径は６０mm程度、厚みは３mm程度であるが、必要に応じて他の各種寸法への変更が可能であることは言うまでもない。また鋲取付板３０の材質も種々の変更が可能であり、段ボール板以外の紙や合成樹脂板等であっても良い。
【００１８】
次に小動物駆除具１−１の構造をその組立方法とともに説明する。小動物駆除具１−１を製造するには図３に示すように、まず１枚の鋲取付板３０と複数個（６個）の鋲１０を用意する。そして予め各鋲１０の針１３が突出する根元部分（接着材塗布部分１５）に接着材１７を塗布しておく。接着材１７は鋲１０の錆を防止する観点から鋲１０に付着しても錆びない材質の接着材を選ぶ。そして前記複数個の鋲１０の内の一部（３個）は前記鋲取付板３０の一方の面（図３に示す上面）からそれらの針１３を突き通してその反対面側（下面側）に突出させ、残り（３個）の鋲１０は前記鋲取付板３０の他方の面（図３に示す下面）からそれらの針１３を突き通してその反対面側（上面側）に突出させ、これによって鋲取付板３０の両方の面にそれぞれ針１３と頭部１１を３つずつ露出させる。このとき各鋲１０に塗布した接着材１７が鋲取付板３０に付着し、両者は接着され固定される。
【００１９】
各鋲１０は鋲取付板３０の中心を中心にした同心円上に等間隔に、針１３を突き刺す面を交互に代えて取り付けられている。これによって図１，図２に示す小動物駆除具１−１が完成する。以上のようにこの小動物駆除具１−１は、鋲取付板３０に鋲１０を取り付けるだけで作成できるので製造が容易であり且つ材料費も安くて低コスト化を図ることができる。
【００２０】
図４は小動物駆除具１−１の一使用例を示す概略斜視図である。同図は家屋の天井に設置されている点検口から天井裏を眺めた状態を示している。そしてこの点検口の近くの位置には手で小動物駆除具１−１を置き、点検口から遠くの位置には小動物駆除具１−１を投げて所望の場所に設置していく。小動物駆除具１−１は板状なので天井裏などの広い場所でもこれをフリスビーを投げる要領で、容易に目的の場所に的確に投げることができ、容易に拡散して広範囲に設置することができる。特にこの小動物駆除具１−１の鋲取付板３０は円板形状なので、投げ易く、これを投げた際にスムーズに飛行し、所望の遠くの場所に設置することができる。しかも鋲取付板３０の両面から針１３が突出しているので、この小動物除去具１−１を遠くに投げるなどしてその表裏が逆になったとしても問題ない。また小動物駆除具１−１を投げて着地した際、小動物駆除具１−１の下面から突出する針１３が着地面に係止するので、着地の場所からさらに遠くに移動していくことはなく、目的の場所（小動物を駆除したい場所、この例では天井裏全体）に容易且つ確実に設置することができる。
【００２１】
以上のようにして天井裏に多数枚の小動物駆除具１−１を撒いておけば、夜、暗闇となる天井裏において活動を始めたネズミやイタチやハクビシン等の小動物は、小動物駆除具１−１の面から突出する針１３に触れることで痛みを感じ、その場所を忌避するようになり、結局小動物を駆除することができる。針１３は鋲取付板３０の表面から少しだけ突出しているので、長く突出するよりも小動物は針１３を踏み易くなり効果的である。またこの小動物駆除具１−１においては鋲１０の頭部１１が反射面１２となっているので、小動物がこれを見る角度によっては頭部１１で反射された光が目に入り、それが他の動物（例えば猫）の目のように錯覚し、これによって小動物に恐怖感等を与える効果もある。なお設置する小動物駆除具１−１の数は、多ければ多いほど効果的である。
【００２２】
図５は小動物駆除具１−１の保管方法の一例を示す側面図である。小動物駆除具１−１を保管するには、鋲取付板３０の表面からの針１３の高さ寸法と略同一の厚みを有する保持部材５０を用意する。保持部材５０は例えば発泡シートや段ボール板（紙製、プラスチック製を含む）等、これに針１３を差し込んでも針１３を傷めない材質のものを使用し、これを円形平板状に形成して構成されている。
【００２３】
そして小動物駆除具１−１の上下面に保持部材５０を重ね合わせ、小動物駆除具１−１の両面から突出する針１３を夫々これに対向する保持部材５０に差し込む。保管する小動物駆除具１−１が複数の場合は、図５に示すように、複数の小動物駆除具１−１と保持部材５０とを交互に重ね合わせ、それぞれの小動物駆除具１−１の両面から突出する針１３をこれに対向する保持部材５０に差し込んでいく。そして最上部と最下部に位置する部材を保持部材５０とすれば、針１３が外部に露出することはなく、安全に小動物駆除具１−１を保管・輸送することができる。
【００２４】
また他の保管方法として、複数枚の小動物駆除具１−１を直接上下に重ね合わせてその最上部と最下部のみに保持部材５０を設置し、全体を例えば輪ゴムを用いて束ねるように構成しても良い。
【００２５】
〔第２実施形態〕
図６は本考案の第２実施形態にかかる小動物駆除具１−２の斜視図である。同図において、前記図１〜図５に示す小動物駆除具１−１と同一又は相当部分には同一符号（但し各符号には「−２」を付す）を付す。なお以下で説明する事項以外の事項については、前記図１〜図５に示す実施形態と同じである。
【００２６】
図６に示す小動物駆除具１−２において、前記小動物駆除具１−１と相違する点は、１本のワイヤ６０−２を鋲取付板３０−２の厚み内を直径方向に貫通させ、鋲取付板３０−２の外周両側から突出する部分を小動物引掛け部６１−２，６１−２とした点のみである。小動物引掛け部６１−２，６１−２は略Ｕ字状（Ｊ字状）に湾曲変形している。ワイヤ６０−２の材質としては、例えばステンレスを用いる。
【００２７】
このように構成すれば、小動物が直接小動物駆除具１−２の鋲取付板３０−２に触れなくても（触れないように歩いても）、その近くを通るだけで小動物引掛け部６１−２に触れ、小動物が驚くと同時に小動物駆除具１−２の位置が少しずれ、これらのことから小動物があわてて鋲取付板３０−２に触れて針１３−２を踏む確率が高くなる。また小動物引掛け部６１−２に触れるだけでも小動物をあわてさせることができるので効果がある。
【００２８】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造や材質であっても、本願考案の作用・効果を奏する以上、本願考案の技術的思想の範囲内である。例えば上記実施形態では鋲取付板３０，３０−２を円板状に形成したが、多角形状等の他の各種形状であっても良く、要は平板状であればよい。鋲取付板３０，３０−２に取り付ける鋲１０，１０−２の数も種々の変更が可能であることは言うまでもない。また小動物引掛け部６１−２の形状も上記実施形態には限定されず、直線状でも良いし、他の各種湾曲・屈曲形状であっても良い。また小動物引掛け部６１−２はワイヤ６０−２で形成しなくても良く、要は鋲取付板３０−２の外周から突出するものであればよい。例えば小動物引掛け部６１−２は鋲取付板３０−２自体に設けても良い。
【符号の説明】
【００２９】
１−１  小動物駆除具
１０  鋲
１１  頭部
１２  反射面
１３  針
１５  接着材塗布部分
１７  接着材
３０  鋲取付板
５０  保持部材
１−２  小動物駆除具
６０−２  ワイヤ
６１−２  小動物引掛け部
【図１】
0003168615.tif 000003
【図２】
0003168615.tif 000004
【図３】
0003168615.tif 000005
【図４】
0003168615.tif 000006
【図５】
0003168615.tif 000007
【図６】
0003168615.tif 000008